(57)【要約】      （修正有）【課題】海ブドウなどの生鮮品や、花卉などの植物を長時間に亘って保温することができ、冬季に生鮮品や植物を損なうことなく長距離輸送することができる包装体を提供する。【解決手段】包装体Ａは、酸素が流入可能な外箱１内に、収納物Ｃを収納するための収納部20が形成された発泡体からなる内箱２が配設され、内外箱１、２間に形成された空間部Ｂ内には化学発熱体３が配設されていると共に、内箱２の収納部20内に蓄熱体５が化学発熱体３に対応した位置に配設されている。【選択図】図２
0003132387.tif 000002
【実用新案登録請求の範囲】
【請求項１】
酸素が流入可能な外箱内に、収納物を収納するための収納部が形成され且つ発泡体からなる内箱が配設され、上記内外箱間に形成された空間部内には化学発熱体が配設されていると共に、上記内箱の収納部内に蓄熱体が上記化学発熱体に対応した位置に配設されていることを特徴とする包装体。
【請求項２】
化学発熱体が外箱の内底面上に載置されていると共に、蓄熱体が内箱の内底面上に載置されていることを特徴とする請求項１に記載の包装体。
【請求項３】
内箱の収納部内に収納された収納物及び蓄熱体が発泡シートで被覆されていることを特徴とする請求項１又は請求項２に記載の包装体。
【請求項４】
化学発熱体が外箱の内底面上及び内箱の外面上に載置されていると共に、蓄熱体が上記内箱の収納部の内底面上及び該収納部内に収納された収納物上に載置されていることを特徴とする請求項１に記載の包装体。
【請求項５】
蓄熱体上に吸水紙が載置されていることを特徴とする請求項２に記載の包装体。
【請求項６】
収納物が海ブドウであることを特徴とする請求項１に記載の包装体。
【考案の詳細な説明】
【技術分野】
【０００１】
本考案は、海ブドウや野菜などの生鮮品や花卉などの植物を保温しながら輸送することができる包装体に関する。
【背景技術】
【０００２】
従来から、海ブドウや野菜などの生鮮品や花卉などの植物を冬季に輸送するにあたって、輸送中に生鮮品や植物が低温の外気によって損なわれるのを防止するための輸送ケースが種々提供されている。
【０００３】
このような輸送ケースとしては、特許文献１に、熱可塑性樹脂の発泡体にて形成された容器本体と蓋体とを組合せてなる断熱容器内に、収納物の凍結防止用の水入り容器を収納してある切花等の輸送ケースが提案されており、水入り容器の蓄熱作用或いは保温作用にて輸送ケースの内部温度が外気温まで低下する時間を遅延させて、切花などの収納物が凍結するのを防止している。
【０００４】
しかしながら、上記輸送ケースは、断熱容器内に水入り容器を入れて、この水入り容器の蓄熱作用或いは保温作用でもって収納物が外気によって凍結するのを防止しているに過ぎず、保温効果が乏しい上に保温時間も短く、長距離輸送には用いることができないといった問題点を有していた。
【０００５】
【特許文献１】実開昭６１−５３３７７号公報
【考案の開示】
【考案が解決しようとする課題】
【０００６】
本考案は、海ブドウ（正式和名：クビレヅタ、学名：Caulerpa lentillifera）や野菜などの生鮮品や、花卉などの植物を長時間に亘って保温することができ、冬季に生鮮品や植物を損なうことなく長距離輸送することができる包装体を提供する。
【課題を解決するための手段】
【０００７】
本考案の包装体は、酸素が流入可能な外箱内に、収納物を収納するための収納部が形成され且つ発泡体からなる内箱が配設され、上記内外箱間に形成された空間部内には化学発熱体が配設されていると共に、上記内箱の収納部内に蓄熱体が上記化学発熱体に対応した位置に配設されていることを特徴とする。
【０００８】
そして、上記包装体において、化学発熱体が外箱の内底面上に載置されていると共に、蓄熱体が内箱の内底面上に載置されていることを特徴とする
【０００９】
又、上記包装体において、内箱の収納部内に収納された収納物及び蓄熱体が発泡シートで被覆されていることを特徴とする。
【００１０】
更に、上記包装体において、化学発熱体が外箱の内底面上及び内箱の外面上に載置されていると共に、蓄熱体が上記内箱の収納部の内底面上及び該収納部内に収納された収納物上に載置されていることを特徴とする。
【００１１】
そして、上記包装体において、蓄熱体上に吸水紙が載置されていることを特徴とする。又、上記包装体において、収納物が海ブドウであることを特徴とする。
【考案の効果】
【００１２】
本考案の包装体は、酸素が流入可能な外箱内に、収納物を収納するための収納部が形成され且つ発泡体からなる内箱が配設され、上記内外箱間に形成された空間部内には化学発熱体が配設されていると共に、上記内箱の収納部内に蓄熱体が上記化学発熱体に対応した位置に配設されていることを特徴とするので、内箱の収納部内に収納した収納物を化学発熱体によって保温すると共に、化学発熱体の発熱量が低下し或いは発熱が停止した後は化学発熱体によって加熱された蓄熱体によって内箱の収納部内に収納した収納物を継続して保温することができ、よって、本考案の包装体は、内箱の収納部内に収納した収納物を長時間に亘って適度な温度に保温することができ、冬季における長距離輸送においても収納物を損ねることなく目的地に届けることができる。
【００１３】
そして、上記包装体において、化学発熱体が外箱の内底面上に載置されていると共に、蓄熱体が内箱の内底面上に載置されている場合には、内外箱間に形成された空間部内の空気を下方から加熱して上昇気流による対流を円滑に生じさせて空間部内の温度をできるだけ均一な温度として内箱の収納部内を全体的に略均一な温度に保温することができる。よって、上記包装体によれば、内箱の収納部内に収納した収納物をその収納時間の全てに亘って安定的に略均一な温度に保温することができる。
【００１４】
又、上記包装体において、内箱の収納部内に収納された収納物及び蓄熱体が発泡シートで被覆されている場合には、内箱の収納部内に収納した収納物をより確実に保温することができる。
【００１５】
更に、上記包装体において、化学発熱体が外箱の内底面上及び内箱の外面上に載置されていると共に、蓄熱体が上記内箱の収納部の内底面上及び該収納部内に収納された収納物上に載置されている場合には、内箱の収納部内に収納した収納物を上下方向から保温することができ、内箱の収納部内をより均一な温度に確実に長時間に亘って保温することができる。
【考案を実施するための最良の形態】
【００１６】
本考案の包装体の一例を図面を参照しつつ説明する。包装体Ａの外箱１は、図１及び図２に示したように、直方体形状の段ボール箱から形成されており、平面矩形状の底部11の外周縁から上方に向かって四角枠状の周壁部12が延設されており、この周壁部12の上端開口端縁の夫々には外箱１の上端開口部を開閉自在に閉止するための矩形状の蓋片13、13・・・が延設されている。そして、上記外箱１は、段ボール同士の継目に形成された隙間や段ボール自身を通じて酸素が外箱１内に流入可能に形成されている。
【００１７】
更に、上記外箱１内には、発泡体からなる内箱２が配設されている。この内箱２は外箱１よりも一回り小さい直方体形状に形成されており、平面矩形状の底部21とこの底部21の外周縁から上方に向かって延設された四角枠状の周壁部22とからなる収納容器2aと、この収納容器2aの上端開口部を開閉自在に閉止する蓋体2bとからなり、上記収納容器2aの底部21及び周壁部22で囲まれた部分によって収納物を収納可能な収納部20が形成されている。
【００１８】
上述のように、内箱２は外箱１よりも一回り小さい大きさに形成されていることから、内箱２を外箱１内に収納し、外箱１の上端開口部を蓋片13、13・・・で閉止した状態においては、内箱２の外面と外箱１の内面との間には全面的に空間部Ｂが形成されている。
【００１９】
そして、上記空間部Ｂにおける内箱２の底部21の外面とこれに対向する外箱１の底部11の内面との間には化学発熱体３が内箱２の底部21及び外箱１の底部11に接触した状態に介在している。即ち、外箱１の底部11の内面（内底面）上に化学発熱体３が載置されており、この化学発熱体３上に内箱２が載置された状態となっている。
【００２０】
上記化学発熱体３は、従来公知のものを用いることができ、例えば、活性炭や保水材の混合物に食塩水を吸収させて粉体混合物を形成し、この粉体混合物と、鉄粉、アルミニウム粉などの金属粉とを袋体に封入、密封してなる化学発熱体が挙げられ、この化学発熱体は、金属粉が酸化する際に発生する熱を利用したものであって、化学発熱体の発熱には酸素を要する。
【００２１】
そして、本考案の包装体Ａでは外箱１が段ボール箱から形成され、酸素が外部から流入可能に構成されていることから、外箱１の底部11の内面上に載置された化学発熱体３は外箱１外から円滑に酸素を供給されて確実に発熱する。
【００２２】
更に、内箱２の収納部20内には、一定長さ、一定幅を有する一対の帯状発泡シート４、４がこれらの長さ方向の中央部において直交した状態に重ね合わせられ、この重ね合わせ部分が内箱２の底部21内面上に位置した状態に配設されている。
【００２３】
又、上記内箱２の収納部20の内底面上、即ち、底部21の内面上には上記発泡シート４、４を介して蓄熱体５が載置されており、上記蓄熱体５は、上記化学発熱体３の上方における収納部20の内底面上に配設されている。又、蓄熱体５上には吸水紙６が載置されている。
【００２４】
なお、上記蓄熱体５としては、従来公知のものを用いることができ、板状の中空容器内に蓄熱剤を密封してなる。このような蓄熱剤としては、例えば、塩化ナトリウム、塩化アンモニウム、塩化マグネシウムなどの無機塩の水溶液、メタノールやエタノールなどのアルコール水溶液、水溶性高分子に公知のゲル化剤を添加してゲル状に形成したものなどが挙げられる。
【００２５】
そして、内箱２の収納部20内における蓄熱体５の上方部には発泡シート４、４によって覆われた空間部20aが形成されており、この空間部20a内に、海ブドウなどの生鮮品や花卉などの植物を収納することができる。
【００２６】
次に、上記包装体Ａの使用要領について説明する。先ず、外箱１内に内箱２を収納した状態にある場合には、外箱１内から内箱２を取り出した上で、外箱１の底部11内面上に化学発熱体３を発熱した状態或いは発熱可能な状態にして載置する。
【００２７】
しかる後、外箱１内に内箱２を化学発熱体３上に載置状態に収納し、内箱２の収納部20内に発泡シート４、４、蓄熱体５及び吸水紙６を順次、配設する。そして、内箱２の収納部20内の吸水紙６上に、海ブドウなどの生鮮品や植物などの収納物Ｃを載置した後、発泡シート４、４の上端部同士を互いに重ね合わせることによって収納物Ｃを一対の発泡シート４、４で被覆した状態とする。続いて、内箱２の収納容器2aの上端開口部を蓋体2bによって開閉自在に閉止した後、外箱１の上端開口部を蓋片13、13・・・で開閉自在に閉止して包装体Ａを得ることができる。なお、収納物Ｃに付着し或いは収納物Ｃから発生する余分な水分は、吸水紙６によって吸収され、収納物Ｃが水に浸された状態で輸送される事態は発生しない。
【００２８】
上記包装体Ａは、外箱１と内箱２との間に空間部Ｂが形成されていると共に、この空間部Ｂ内には化学発熱体３が配設され、この化学発熱体３によって空間部Ｂ内が加熱される。そして、化学発熱体３によって加熱された空間部Ｂ内の空気は空間部Ｂ内を対流し、内箱２を全体的に加熱、保温する。なお、外箱１は段ボール箱から形成されていることから、空間部Ｂ内に円滑に酸素が供給され、化学発熱体３は充分な濃度の酸素でもって所定時間に亘って発熱し続ける。
【００２９】
これと同時に、化学発熱体３は内箱２の底部21外面に接触していることから、熱伝導により化学発熱体３は内箱２の底部21を加熱し、加熱された底部21によって内箱２の底部21内面上に載置された蓄熱体５は加熱されて熱量を保持する。
【００３０】
上述のように、化学発熱体３による発熱によって内箱２の底部21は加熱されるものの、収納物Ｃと内箱２の底部21との間には蓄熱体５が介在しており、化学発熱体３による直接加熱の収納物Ｃへの昇温による影響は蓄熱体５の存在によって緩和されている一方、化学発熱体３によって空間部Ｂ内の空気が加熱され、この加熱された空気は対流によって空間部Ｂ内に隈なく行き渡り、内箱２は適度な温度に加熱された空気によって覆われることにより、内箱２への侵入熱を均一に保つことができる。その結果、内箱２の収納物Ｃの品温もより均一に保温される。
【００３１】
そして、化学発熱体３は一定時間を経過すると、その発熱量が減少し或いは発熱が停止する。この時点において、上述したように、化学発熱体３によって蓄熱体５が加熱されて熱量を保持しており、この蓄熱体５によって内箱２の収納部20内が加熱、保温され、化学発熱体３の発熱の停止後も内箱２の収納部20内は蓄熱体５によって加熱、保温される。この際、蓄熱体５は、比熱の大きな物質から形成されていることから、化学発熱体３によって高温に加熱されることなく適度な温度に加熱されていると共に、加熱された温度を長時間に亘って安定的に維持し、よって、内箱２の収納部20内は蓄熱体５内に蓄積された熱量でもって適度な温度に保温される。又、内箱２の収納部20内の温度が、蓄熱体５や収納物Ｃの凍結温度以下になった場合も、蓄熱体５の潜熱により収納物Ｃの凍結開始時間を遅らせることができる。
【００３２】
このように、内箱２は、化学発熱体３による加熱、保温の後は蓄熱体５によって加熱、保温され、内箱２の収納部20内に収納された収納物Ｃは、外気温にもかかわらず、適度な温度に長時間に亘って保温され、長時間を要する長距離輸送においても品質の低下を招くことなく目的地に輸送される。
【００３３】
上記包装体Ａでは、内箱２の底部21とこれに対向する外箱１の底部11との間にのみ化学発熱体３を、内箱２の底部21の内面上にのみ蓄熱体５を配設した場合を説明したが、図３に示したように、内箱２の蓋体2bの上面とこれに対向する外箱１の蓋片13、13・・・との間にも化学発熱体３’を配設すると共に、内箱２の収納部20内に収納した収納物Ｃとこれに対向する内箱２の蓋体2bの内面との間に蓄熱体５’を配設してもよい。
【００３４】
このように、内箱２の収納部20内に収納した収納物Ｃの上下側のそれぞれに、化学発熱体３、３’及び蓄熱体５、５’を配設しておくことによって、内箱２を上下方向から確実に保温することができ、より厳しい環境下においても内箱２内に収納した収納物Ｃを所定温度に更に長時間に亘って保温しておくことができる。
【図面の簡単な説明】
【００３５】
【図１】本考案の包装体を示した分解斜視図である。
【図２】本考案の包装体を示した縦断面図である。
【図３】本考案の包装体の他の一例を示した縦断面図である。
【符号の説明】
【００３６】
１     外箱
11     底部
12     周壁部
２     内箱
20     収納部
20a    空間部
21     底部
22     周壁部
2a     収納容器
2b     蓋体
３     化学発熱体
４     発泡シート
５     蓄熱体
６     吸水紙
Ａ     包装体
Ｂ     空間部
Ｃ     収納物
【図１】
0003132387.tif 000003
【図２】
0003132387.tif 000004
【図３】
0003132387.tif 000005